(57)【要約】      （修正有）【課題】六曜に基づいた吉の時間帯または凶の時間帯を他の時間帯と識別可能であり、吉または凶のどちらか一方の時間帯だけを知りたい使用者のニーズに合ったスケジュール帳を提供する。【解決手段】スケジュール帳は、１日の予定を時間に分けて記述する書き込み欄５４１を備えた週間スケジュールページ５４を有する。そして、この書き込み欄５４１には、六曜に基づいた吉の時間帯または凶の時間帯が他の時間帯と識別可能に記載されている。また、書き込み欄５４１は、時刻を示す時刻欄５４２と、時刻欄５４２と並んで設けられ、時刻ごとに予定を書き込む予定書き込み欄５４３と、を有する。【選択図】図５
0003223440.tif 000002
【実用新案登録請求の範囲】
【請求項１】
１日の予定を時間に分けて記述する欄を備えたページを有し、
前記欄には、六曜に基づいた吉の時間帯または凶の時間帯が他の時間帯と識別可能に記載されていることを特徴とするスケジュール帳。
【請求項２】
前記欄には、前記吉の時間帯が他の時間帯と識別可能に記載されている請求項１に記載のスケジュール帳。
【請求項３】
前記欄は、時刻を示す時刻欄と、
前記時刻欄と並んで設けられ、時刻ごとに予定を書き込む予定書き込み欄とを有する請求項２に記載のスケジュール帳。
【請求項４】
前記時刻欄中の前記吉の時間帯が着色されている請求項３に記載のスケジュール帳。
【請求項５】
前記ページは、連続した２つのページからなる見開きページであり、
前記欄は、前記連続した２つのページに跨って設けられている請求項１から４のいずれか１項に記載のスケジュール帳。
【請求項６】
前記欄は、横方向に延びている請求項１から５のいずれか１項に記載のスケジュール帳。
【請求項７】
前記ページには、１週間分の前記欄が縦に並んで設けられている請求項６に記載のスケジュール帳。
【考案の詳細な説明】
【技術分野】
【０００１】
本考案は、スケジュール帳に関する。
【背景技術】
【０００２】
例えば、特許文献１に記載されたスケジュール帳には、二十八宿や九星気学に基づく吉凶の運勢が記載されている。
【先行技術文献】
【特許文献】
【０００３】
【特許文献１】特開２００５−１９９６８１号公報
【考案の概要】
【考案が解決しようとする課題】
【０００４】
しかしながら、吉凶それぞれの運勢を記載すると、その内容が煩雑になる。また、使用者によっては吉の運勢だけが気になり、凶の運勢など知りたくもない、知ってしまうことで凶の運勢が気になってしまうことを避けたいと思うプラス思考型の者もいれば、反対に、凶の運勢だけが気になり、吉の運勢など知りたくもない、知ってしまうことで吉の運勢が気になってしまうことを避けたいと思うマイナス思考型の者もいる。
【０００５】
本考案の目的は、吉凶の運勢のうちのいずれか一方の運勢を記載し、当該一方の運勢だけを知りたい使用者のニーズに合ったスケジュール帳を提供することにある。
【課題を解決するための手段】
【０００６】
前記目的は、以下（１）〜（７）の本考案により達成される。
【０００７】
（１）  １日の予定を時間に分けて記述する欄を備えたページを有し、
前記欄には、六曜に基づいた吉の時間帯または凶の時間帯が他の時間帯と識別可能に記載されていることを特徴とするスケジュール帳。
【０００８】
（２）  前記欄には、前記吉の時間帯が他の時間帯と識別可能に記載されている上記（１）に記載のスケジュール帳。
【０００９】
（３）  前記欄は、時刻を示す時刻欄と、
前記時刻欄と並んで設けられ、時刻ごとに予定を書き込む予定書き込み欄とを有する上記（２）に記載のスケジュール帳。
【００１０】
（４）  前記時刻欄中の前記吉の時間帯が着色されている上記（３）に記載のスケジュール帳。
【００１１】
（５）  前記ページは、連続した２つのページからなる見開きページであり、
前記欄は、前記連続した２つのページに跨って設けられている上記（１）から（４）のいずれかに記載のスケジュール帳。
【００１２】
（６）  前記欄は、横方向に延びている上記（１）から（５）のいずれかに記載のスケジュール帳。
【００１３】
（７）  前記ページには、１週間分の前記欄が縦に並んで設けられている上記（６）に記載のスケジュール帳。
【考案の効果】
【００１４】
本考案によれば、１日の予定を時間に分けて記述する欄に、六曜に基づいた吉の時間帯または凶の時間帯が他の時間帯と識別可能に記載されている。そのため、例えば、吉の時間帯を識別可能とすれば、吉の時間帯だけが気になり、それ以外の時間帯など知りたくもない、知ってしまうことで凶の時間帯が気になってしまうことを避けたいと思うプラス思考型の者に適したスケジュール帳となり、凶の時間帯を識別可能とすれば、凶の時間帯だけが気になり、それ以外の時間帯など知りたくもない、知ってしまうことで吉の時間帯が気になってしまうことを避けたいと思うマイナス思考型の者に適したスケジュール帳となる。また、吉の時間帯を識別可能に記載したスケジュール帳と凶の時間帯を識別可能に記載したスケジュール帳とを併用することで、吉凶両方の時間帯を知りたい者に適したスケジュール帳となる。つまり、本考案によれば、六曜に基づく運勢に興味がある全ての者のニーズに合ったスケジュール帳を提供することができる。
【図面の簡単な説明】
【００１５】
【図１】本考案のスケジュール帳の全体構成を例示した斜視説明図である。
【図２】見開きページを見せた平面図である。
【図３】見開きページを見せた平面図である。
【図４】見開きページを見せた平面図である。
【図５】見開きページを見せた平面図である。
【図６】見開きページを見せた平面図である。
【図７】見開きページを見せた平面図である。
【図８】見開きページを見せた平面図である。
【考案を実施するための形態】
【００１６】
図１は、本考案の好適な実施形態に係るスケジュール帳の全体構成を例示した斜視説明図である。同図に示すように、このスケジュール帳１は、主に、表紙２と、スケジュール帳１の使い方を記載した説明用紙群４と、年間予定を書き込むための年間予定用紙群５と、九星気学に基づく占いが記載された九星気学用紙群６と、背表紙７とを備えている。スケジュール帳１を構成しているすべての用紙は、矩形であり、その１辺側で表面を表紙側に向けて左閉じ方式で重なり状に綴じ合わされている。なお、図１では、綴じ合わせ箇所をハッチングで表示してある。
【００１７】
なお、スケジュール帳１のサイズは、特に限定されず、例えば、Ａ５、Ａ４、Ｂ５、Ｂ４等の規格サイズであってもよいし、その他の規格外のサイズであってもよい。また、以下では、西暦２０２０年用のスケジュール帳１について代表して説明する。なお、各図では、図面の簡略化のため、２０２０年の実際の日付と異なる部分もある。
【００１８】
はじめに、図１に示した年間予定用紙群５に関わる事項を図２から図５を参照しながら説明する。図２は、年間予定用紙群５のはじめの見開きページ（見開いた状態で連続する２枚のページ）を見せた平面図である。この見開き状態では、２０２０年度および翌年の２０２１年度の２年間の月暦を表示する年間カレンダーページ５１が見える。年間カレンダーページ５１は、見開き２ページに亘って形成されていて、左側のページに２０２０年度の１〜１２月分が割り当てられ、右側のページに２０２１年度の１〜１２月分が割り当てられている。
【００１９】
図３は、年間予定用紙群５の別の見開きページを見せた平面図である。前述した年間カレンダーページ５１よりも後ろに位置するページの見開き状態では、２０２０年度の年間スケジュールページ５２が見える。年間スケジュールページ５２は、見開き２ページに亘って形成されていて、左側のページに２０２０年度の１〜６月分が割り当てられ、右側のページに２０２０年度の７〜１２月分が割り当てられている。さらに、年間スケジュールページ５２は、縦罫線で月ごとに区画された書込み欄が月順に横方向に並び、各月の書込み欄が日付順に罫線で区画されて縦方向に並んでいる。この構成により、１年間の予定を月割りで日にち毎に書き込むことができるようになる。また、年間スケジュールページ５２では、日曜日および祝日に相当する書き込み欄が平日と区別できるように所定の色で色付けされている。
【００２０】
図４は、年間予定用紙群５の別の見開きページを見せた平面図である。前述した年間スケジュールページ５２よりも後ろに位置するページの見開き状態では、２０２０年１月の月間スケジュールページ５３が見える。なお、図示しないが、２０２０年１月の月間スケジュールページ５３の後ろには、月間スケジュールページ５３と同様の見開き１箇月の構成で、２０２０年２月の月間スケジュールページから２０２０年１２月の月間スケジュールページまでが連続して配置されている。
【００２１】
この月間スケジュールページ５３には、１箇月間の予定を日にち毎に分けて記述することができる。この月間スケジュールページ５３は、格子状の罫線によって区画した矩形の書込み欄に、１箇月間の日にちを日にち順に個別に割り当てることによって構成されている。
【００２２】
この月間スケジュールページ５３には、毎日吉凶の運勢を有する占い、具体的には、運勢占いの一種である二十八宿に基づいた吉凶の運勢のうち、吉の運勢項目だけが特定のアイコン（印）を用いて記載されている。また、運勢項目は、複数種の項目に分かれており、図示の構成では「恋愛に良い日」、「友情に良い日」、「買い物に良い日」、「旅行に良い日」、「習い事を始めるのに良い日」、「新しいことを始めるのに良い日」、「アイデアがひらめく日」および「リフレッシュに良い日」の８つの項目に分けられている。そして、日にち毎に、これら８つの運勢項目のうちどの日に該当するのかが特定のアイコンを用いて書き込み欄に記載されている。
【００２３】
アイコンの形状としては、特に限定されないが、図示の構成では、「恋愛に良い日」をハートのアイコンとし、「友情に良い日」を花のアイコンとし、「買い物に良い日」をショッピングカートのアイコンとし、「旅行に良い日」を飛行機のアイコンとし、「習い事を始めるのに良い日」を本のアイコンとし、「新しいことを始めるのに良い日」を星のアイコンとし、「アイデアがひらめく日」を電球のアイコンとし、「リフレッシュに良い日」を人間のアイコンとしている。また、運勢項目についても上記の８種に限定されず、必要に応じて項目を加減および変更してもよい。
【００２４】
このような構成によれば、使用者は、どの日がどのような運勢の日なのかを一目で確認することができる。つまり、例えば、２０２０年１月１月の書き込み欄を見れば、この日が「友情に良い日」、「恋愛に良い日」および「習い事を始めるのに良い日」に該当することが一目でわかり、１月３１日の書き込み欄を見れば、この日が「友情に良い日」、「恋愛に良い日」および「旅行に良い日」に該当することがわかる。
【００２５】
ただし、毎日吉凶の運勢を有する占いであれば、二十八宿に限定されない。なお、毎日吉凶の運勢を有する占いとは、毎日に吉の運勢および凶の運勢の少なくとも一方が存在する占いを言い、好ましくは、毎日に吉の運勢および凶の運勢の両方が存在する占いを言う。
【００２６】
また、月間スケジュールページ５３には、六曜の大安に該当する日に、それを識別する印が付されている。つまり、月間スケジュールページ５３には、六曜を構成する先勝、友引、先負、仏滅、大安および赤口のうち大安だけが記載されている。大安は、六曜の中で最も吉の日であり、何事においても吉であり成功しないことはない日とされる。図示の構成では、大安に該当する日（例えば、２０２０年１月１１日）の書き込み欄に「大安」と記載されている。ただし、「大安」であることを使用者が識別することができれば、「大安」を示す印は特に限定されない。
【００２７】
また、月間スケジュールページ５３には、選日に基づく一粒万倍日および天赦日に該当する日に、それを識別する印が付されている。一粒万倍日は、一粒の籾が万倍にも実る稲穂になるという意味であり、何事を始めるにも良い日とされる。一方、天赦日は、天がすべての罪を許すという日本の暦の上で最高の吉日とされる。なお、一粒万倍日が年間６０日程度であるのに対して、天赦日は年間６日程度であり、天赦日が極めて貴重な日であることがわかる。図示の構成では、一粒万倍日に該当する日（例えば、２０２０年１月２日）の書き込み欄が所定の色で色付けされていると共に、当該書き込み欄に「一粒万倍日」と記載されている。同様に、天赦日に該当する日（例えば、２０２０年１月２７日）の書き込み欄が所定の色で色付けされていると共に、当該書き込み欄に「天赦日」と記載されている。
【００２８】
特に、図示の構成では、一粒万倍日および天赦日に該当する日の書き込み欄を共に同系色で色付けし、かつ、天赦日を一粒万倍日よりも濃い色で色付けしている。そのため、一粒万倍日よりも貴重な天赦日がより目立つ構成となっている。ただし、一粒万倍日および天赦日に該当する日を使用者に識別させることができれば、一粒万倍日および天赦日を示す印はそれぞれ特に限定されない。
【００２９】
また、月間スケジュールページ５３には、月の朔望（満ち欠け）に基づく新月の日、上弦の日、下弦の日および満月の日に該当する日に、それを識別するアイコン（印）が付されている。新月の日は、新しいスタートや決意に適した日とされ、上弦の日は、達成する力や判断力が強くなる日とされ、満月の日は、努力が実を結ぶ日とされ、下弦の日は、何かをやめる決断をするのに適した日とされる。図示の構成では、これらに該当する日（例えば、２０２０年１月６日、１４日、２１日、２８日）の書き込み欄に、月に見立てたアイコンが記載されている。具体的には、全ベタの円のアイコンが新月を表し、左半分がベタで右半分が白抜された円のアイコンが上弦を表し、白抜された円のアイコンが満月を表し、右半分がベタで左半分が白抜された円のアイコンが下弦を表している。ただし、新月の日、上弦の日、下弦の日および満月の日を使用者に識別させることができれば、新月の日、上弦の日、下弦の日および満月の日を示す印はそれぞれ特に限定されない。
【００３０】
以上のように、月間スケジュールページ５３には、二十八宿、六曜、選日および月の朔望のそれぞれに基づいた吉日が記載されている。したがって、スケジュール帳１の使用者は、組んだ予定がどのような吉日に行われるのかを確認し易く、反対に、どのような吉日であるかを考慮して予定を組むこともできる。また、例えば、使用者によって好みの占いが異なるため、つまり、二十八宿を重要視する使用者もいれば、選日を重要視する使用者もいるため、複数の異なる占いに基づく吉日を併記することにより、より多くの使用者のニーズにあったスケジュール帳１となる。
【００３１】
特に、図示の構成では、二十八宿、六曜、選日および月の朔望のそれぞれに基づいた吉日だけを記載し、凶日については一切記載していない。そのため、使用者は、凶日に惑わされることなく吉日だけを参考にプラス思考で予定を確認したり予定を組んだりすることができる。そのため、吉の運勢だけが気になり、凶の運勢など知りたくもない、知ってしまうことで凶の運勢が気になってしまうことを避けたいと思うプラス思考型の者に適したスケジュール帳１となる。
【００３２】
図５は、年間予定用紙群５の別の見開きページを見せた平面図である。前述した月間スケジュールページ５３よりも後ろに位置するページの見開き状態では、２０２０年第１週の週間スケジュールページ５４が見える。なお、図示しないが、２０２０年第１週の週間スケジュールページ５４の後ろには、この週間スケジュールページ５４と同様の見開き１週間の構成で、２０２０年第２週の週間スケジュールページから２０２０年最終週の週間スケジュールページまでが連続して配置されている。また、２０２０年第１週の週間スケジュールページ５４の前には、２０１９年最終週の週間スケジュールページが配置されている。
【００３３】
この週間スケジュールページ５４には、１週間の予定を日にち毎に分けて記述することができる。この週間スケジュールページ５４は、横罫線によって区画した横長の書き込み欄５４１が縦に７つ並び、１週間の日にちを曜日順に個別に割り当てることによって構成されている。つまり、１週間分の書き込み欄５４１は、曜日順に、縦に並んで設けられている。さらに、各書き込み欄５４１には、横方向に並んで時刻が表示されており、日にち毎に時刻管理ができるようになっている。
【００３４】
より具体的には、各書き込み欄５４１は、時刻を示す時刻欄５４２と、時刻欄５４２の下側に並んで設けられ、時刻ごとに予定を書き込む予定書き込み欄５４３とを有する。このような構成とすれば、時刻ごとの予定の書き込みが容易となる。また、各書き込み欄５４１は、見開きページを構成する連続した２つのページに跨って設けられている。そのため、各書き込み欄５４１をより横に長く記載することができ、書き込み欄５４１をより大きく確保することができる。
【００３５】
週間スケジュールページ５４には、日にち毎に六曜（先勝、友引、先負、仏滅、大安および赤口）が記載されている。さらに、週間スケジュールページ５４の各日にちの書き込み欄５４１には、六曜に基づいた吉の時間帯が、他の時間帯と識別可能に記載されている。
【００３６】
図示の構成では、各書き込み欄５４１の時刻欄５４２に記載された時刻表示のうち、吉の時間帯に対応する時間帯を帯状のマーカー（印）で着色することにより、吉の時間帯を他の時間帯と識別可能としている。特に、図示の校正では、時刻欄５４２に記載された時刻を示す数字と重ねてマーカーを配置しているため、吉の時間帯が識別し易くなる。例えば、２０２０年１月１日（赤口）では、１１時から１３時までが吉の時間帯であり、２０２０年１月４日（先負）では、１３時から２４までが吉の時間帯であり、２０２０年１月５日（仏滅）では、吉の時間帯がないことがわかる。ただし、吉の時間帯を使用者が識別することができれば、吉の時間帯を示す印は特に限定されない。
【００３７】
以上のように、週間スケジュールページ５４には、六曜に基づいた吉の時間帯が記載されている。したがって、スケジュール帳１の使用者は、組んだ予定が吉の時間帯に行われるのかを確認し易く、反対に、吉の時間帯を考慮して予定を組むこともできる。特に、図示の構成では、吉の時間帯だけが識別可能であるため、使用者は、凶の時間帯に惑わされることなく吉の時間帯だけを参考にプラス思考的に予定を確認したり予定を組んだりすることができる。
【００３８】
図６は、九星気学用紙群６の見開きページを見せた平面図である。この九星気学用紙群６は、年間予定用紙群５の後ろ側に位置している。図６に示す見開き状態では、九星気学に基づく占いに関する九星気学占いページ６１が見える。九星気学占いページ６１は、見開き２ページに亘って形成されていて、左側のページに誕生年から本命星を調べる本命星早見表が割り当てられ、右側のページに本命星毎の吉方、ラッキーカラーおよび相性占いが割り当てられている。
【００３９】
図７は、説明用紙群４の見開きページを見せた平面図である。この説明用紙群４は、年間予定用紙群５の前側に位置している。図７に示す見開き状態では、スケジュール帳１の説明（使用方法）を記載した説明ページ４１が見える。説明ページ４１は、見開き２ページに亘って形成されていて、左側のページに月間スケジュールページ５３の説明が割り当てられ、右側のページに週間スケジュールページ５４の説明が割り当てられている。
【００４０】
また、図７中の左側のページＰの自由辺（綴じ合わせ箇所の反対側の辺）には、折畳みページ３が折曲げ線３０を介して折畳み可能に連設されている。折畳みページ３は、ページＰの表側および裏側のどちら側に向けて折畳まれる構成であってもよいが、図示の構成では、裏側に向けて折畳まれる構成となっている。折畳みページ３の裏面には、月間スケジュールページ５３に記載れた各種吉日の説明が記載されている。つまり、二十八宿に基づく吉日を示すアイコンの説明と、選日に基づく一粒万倍日および天赦日の説明と、月の朔望を示すアイコンの説明とが記載されている。説明ページ４１に記載された説明から分かるように、折畳みページ３をひらくことで、その裏面に記載された各種吉日の説明が月間スケジュールページ５３の左側に現れ、この説明と月間スケジュールページ５３とを同時に見ることができる。そのため、月間スケジュールページ５３の使用勝手が向上する。なお、説明が不要な場合には折畳みページ３を折畳むことで折畳みページ３が邪魔にならない。
【００４１】
図８は、説明用紙群４の別の見開きページを見せた平面図である。図８に示す見開き状態は、説明ページ４１をめくった状態を示す。この見開き状態では、二十八宿、選日、月の朔望および六曜の説明を記載した説明ページ４２が見える。説明ページ４２は、見開き２ページに亘って形成されていて、左側のページに二十八宿のアイコンの説明と、一粒万倍日および天赦日の説明とが割り当てられ、右側のページに月の朔望の説明と、六曜の説明とが割り当てられている。
【００４２】
以上、スケジュール帳１について説明した。ただし、スケジュール帳１としては、上述の構成に限定されず、少なくとも週間スケジュールページ５４を有していれば、その他のページを省略してもよいし、上述したページ以外のページを有していてもよい。
【００４３】
また、上述の形態では、週間スケジュールページ５４に六曜に基づいた吉の時間帯が他の時間帯と識別可能に記載されているが、これとは逆に、六曜に基づいた凶の時間帯が他の時間帯と識別可能に記載されていてもよい。これにより、上述の形態とは逆に、使用者は、吉の時間帯に惑わされることなく凶の時間帯だけを参考にマイナス思考的に予定を確認したり予定を組んだりすることができる。そのため、凶の時間帯だけが気になり、吉の時間帯など知りたくもない、知ってしまうことで吉の時間帯が気になってしまうことを避けたいと思うマイナス思考型の者に適したスケジュール帳１となる。
【００４４】
なお、本考案で言うところの吉と凶の境界は、特に限定されず、スケジュール帳１の作成者が適宜設定することができる。
【符号の説明】
【００４５】
１          スケジュール帳
２          表紙
３          折畳みページ
３０        折曲げ線
４          説明用紙群
４１        説明ページ
４２        説明ページ
５          年間予定用紙群
５１        年間カレンダーページ
５２        年間スケジュールページ
５３        月間スケジュールページ
５４        週間スケジュールページ
５４１      書き込み欄
５４２      時刻欄
５４３      予定書き込み欄
６          九星気学用紙群
７          背表紙
【図１】
0003223440.tif 000003
【図２】
0003223440.tif 000004
【図３】
0003223440.tif 000005
【図４】
0003223440.tif 000006
【図５】
0003223440.tif 000007
【図６】
0003223440.tif 000008
【図７】
0003223440.tif 000009
【図８】
0003223440.tif 000010